(57)【要約】【課題】簡単な構造で良好な出力音圧等の音響性能を確保するとともに、デザインや形状に対しての制約を緩和できる電子機器を提供する。【解決手段】電子機器の受話器１００は、音孔１３が形成された第１の筐体１１と、第１の筐体１１と結合され、第１の筐体１１とともに箱状の枠体を形成する第２の筐体１２と、音孔１３の外側を覆うとともに、第１の筐体１１の音孔１３周辺部との間に空間１８を形成した状態で取り付けられる平板状のパネル１４と、第１の筐体１１及び第２の筐体１２の内部に配設され、供給される電気信号に応じて音を放射する電気機械音響変換器１０とを備え、電気機械音響変換器１０から放射された音が音孔１３を介して空間１９に伝達され、パネル１４が振動可能なように構成される。【選択図】図３
2007281607.tif 000002
【特許請求の範囲】
【請求項１】
音孔が形成された筐体と、
前記音孔の外側を覆うとともに、前記筐体の音孔周辺部との間に空間を形成した状態で取り付けられる平板状のパネルと、
前記筐体の内部に配設され、供給される電気信号に応じて音を放射する電気機械音響変換器とを備えた電子機器。
【請求項２】
請求項１に記載の電子機器であって、
前記パネルは、外縁部に突出形成された側壁部材を有し、
前記筐体は、前記パネルを収納する凹部を有し、
前記パネルの側壁部材が前記筐体の凹部に当接した状態で結合されることにより前記筐体との間の空間が形成される電子機器。
【請求項３】
請求項１に記載の電子機器であって、
前記筐体と前記電気機械音響変換器との間に、弾性体が設けられる電子機器。
【請求項４】
請求項１に記載の電子機器であって、
前記筐体と前記電気機械音響変換器との間に、前記電気機械音響変換器から放射された音を前記筐体に伝達する音通路が設けられる電子機器。
【請求項５】
請求項１に記載の電子機器であって、
前記筐体には、前記音孔及び前記電気機械音響変換器を有してなる音出力部が複数組設けられる電子機器。
【発明の詳細な説明】
【技術分野】
【０００１】
本発明は、携帯端末装置等の電子機器に関する。
【背景技術】
【０００２】
一般に、携帯端末装置等の電子機器では、部品点数の削減、組立てやメンテナンスの簡易性を確保するために、次のような構造がとられている。図１０は従来例の電子機器の構造を示す断面図である。
【０００３】
この従来例の電子機器は、第１の筐体６１及び第２の筐体６２からなる。第１の筐体６１には、音孔６３が形成されており、またその内側には電気機械音響変換器６０が取り付けられている。この場合、第１の筐体６１の裏側に、両面テープ等の粘着材で直接貼り付けられて固定される構造となっている。
【０００４】
近年、携帯電話機に代表される携帯端末装置等の小型の電子機器では、急速に小型化が進むにつれて、全てのユーザ（人間）の耳を覆うような十分大きな第１の筐体を形成することは困難であり、耳と第１の筐体との気密を確保することも困難となる。その結果、耳と第１の筐体との間で音漏れが生じ、耳と第１の筐体との押し付け度合いによって音量や音質等が大きく変動するため、安定した音響性能の提供が困難となる。例えば、屋外で携帯電話機を使用しているとき、環境騒音が煩くて聞き難い場合には携帯電話機を耳に強く押し付けることで、受話音声はある程度聞きやすくなるなど、耳への押し付け度合いによって音響性能が変化してしまう。
【０００５】
この改善策として、電気機械音響変換器が受話器内部の空間へ放射した音を、音響的な結合をさせることによって、低い音響出力インピーダンスが得られ、音漏れを補償可能とする手段が知られている（例えば、特許文献１、特許文献２参照）。
【０００６】
しかしながら、上記いずれの手段であっても、複数の音孔を必要とするため、デザインや形状に対しての制約や、筐体内部空間に対しての構造的な制約が発生するため、商品開発や装置設計における簡易性や実現性という点で問題となることがあった。
【０００７】
【特許文献１】特開２０００−４９９２０号公報
【特許文献２】特表２００２−５０１６８３号公報
【発明の開示】
【発明が解決しようとする課題】
【０００８】
本発明は、上記事情に鑑みてなされたもので、簡単な構造で良好な音量や音質等の音響性能を確保するとともに、デザインや形状に対しての制約を緩和させることが可能な電子機器を提供することを目的とする。
【課題を解決するための手段】
【０００９】
本発明の電子機器は、音孔が形成された筐体と、前記音孔の外側を覆うとともに、前記筐体の音孔周辺部との間に空間を形成した状態で取り付けられる平板状のパネルと、前記筐体の内部に配設され、供給される電気信号に応じて音を放射する電気機械音響変換器とを備えるものである。
【００１０】
これにより、使用者が電子機器のパネルに耳を押し当てて聴取する場合、電子機器から出力される音は、点状の音孔からではなく、面状のパネルから放射されて耳へ届くことになるため、受聴範囲が拡張されていることになる。また、パネルへの耳の押し付け度合いに合わせて、パネルの挙動が適切に作用するため、耳の押し付け度合いに依存して音量や音質等が大きく変動することなく、安定した音響性能を実現することが可能となる。さらに、パネルによって音孔が覆われて外観からは見えなくなるため、デザインや形状に関してより自由度を向上させるとともに、防塵、防磁性能を向上させることも可能となる。また、電気機械音響変換器の配置に関してより自由度を向上させることも可能である。
【００１１】
また、本発明の一態様として、上記の電子機器であって、前記パネルは、外縁部に突出形成された側壁部材を有し、前記筐体は、前記パネルを収納する凹部を有し、前記パネルの側壁部材が前記筐体の凹部に当接した状態で結合されることにより前記筐体との間の空間が形成されるものとする。これにより、簡単な構成で筐体の音孔周辺部とパネルとの間に空間を形成する構成が可能となる。
【００１２】
また、本発明の一態様として、上記の電子機器であって、前記筐体と前記電気機械音響変換器との間に、弾性体が設けられるものとする。これにより、筐体と電気機械音響変換器との間の取り付け部の気密性をより高く確保でき、音響性能を向上可能となる。
【００１３】
また、本発明の一態様として、上記の電子機器であって、前記筐体と前記電気機械音響変換器との間に、前記電気機械音響変換器から放射された音を前記筐体に伝達する音通路が設けられるものとする。これにより、電気機械音響変換器から放射された音を音通路を介して音を効率良く出力でき、音響性能を向上可能となる。
【００１４】
また、本発明の一態様として、上記の電子機器であって、前記筐体には、前記音孔及び前記電気機械音響変換器を有してなる音出力部が複数組設けられるものとする。これにより、複数組のスピーカ等を有する音出力部を備える構成であっても、上記目的は達成され、簡単な構造で良好な音量や音質等の音響性能を確保するとともに、デザインや形状に対しての制約を緩和させることが可能となる。
【発明の効果】
【００１５】
本発明によれば、簡単な構造で良好な音量や音質等の音響性能を確保するとともに、デザインや形状に対しての制約を緩和させることが可能な電子機器を提供できる。
【発明を実施するための最良の形態】
【００１６】
本実施形態では、携帯電話機やＰＤＡ（Personal Digital Assistant：携帯情報端末）に代表される携帯端末装置等の小型の電子機器に搭載される受話器の構成例を示す。
【００１７】
（第１の実施形態）
図１は本発明の第１の実施形態に係る受話器が搭載された電子機器である携帯端末装置の外観構成を示す斜視図である。本実施形態の携帯端末装置１は、通信機能を有する携帯電話機等の例であり、ヒンジ４３によって折り畳み自在な第１の筐体４０及び第２の筐体４１を有して構成される。第１の筐体４０には、液晶表示パネル等による表示部４４と、後で詳述する受話器１００とが配設されている。また、第１の筐体４０の一端面（図中上面）には、受信用アンテナ４２が設けられている。一方、第２の筐体４１には、複数の押しボタン等による操作部４５が配設されている。
【００１８】
図２は第１の実施形態の携帯端末装置１における音声出力部の電気的構成を示す図である。この音声出力部は、受信アンテナ４２、受信信号の復調等の信号処理を行う受信回路４６、受信信号を復調して生成された音声信号の増幅等を行う信号出力部４７、及び増幅された音声出力信号を電気音響変換して空気振動の音波による音として放射出力する受話器１００を有して構成される。
【００１９】
上記構成を有する携帯端末装置１は、受信アンテナ４２で受信した無線信号の受信信号を受信回路４６で復調等の信号処理をして電気信号の音声信号に変換し、変換された音声信号を信号出力部４７で増幅し、電気信号の音声出力信号として受話器１００に出力する。受話器１００では、信号出力部４７から入力された音声出力信号の電気音響変換が行われ、表面のパネルから受信信号に基づく受話音声等の音が放射されて再生出力される。
【００２０】
ここで、受話器１００の構造及び動作について詳述する。図３は本発明の第１の実施形態に係る受話器１００の構造を示す図である。図３において、（Ａ）は受話器１００の外観を示す平面図、（Ｂ）は（Ａ）の受話器１００のＡ−Ａ線に沿った横断面図である。
【００２１】
受話器１００は、長方形の平板状のパネル１４を有し、このパネル１４の外縁裏側部分に側壁部材１５が突出形成されている。そして、受話器１００は、パネル１４の周囲に配設される表面側の第１の筐体１１と、この第１の筐体１１の反対側を覆う裏面側の第２の筐体１２とを有してなる。
【００２２】
第１の筐体１１は、パネル１４を収納するための内側に窪んだ凹部１８を有し、中央部（図中上面中央）には、音孔１３が形成されて開口している。パネル１４は、第１の筐体１１の凹部１８に収納されて側壁部材１５の周縁部が第１の筐体１１に接着等で結合され、第１の筐体１１の音孔１３を外側から覆うように取り付けられている。この第１の筐体１１の凹部１８にパネル１４の側壁部材１５が当接して取り付けられることにより、第１の筐体１１の音孔１３周辺部とパネル１４との間には空間１９が形成されている。なお、パネル１４に側壁部材１５を設ける代わりに、第１の筐体１１の凹部１８の周縁部に突起部を設けて、パネル１４を第１の筐体１１に結合した状態で空間１９が形成されるようにしてもよい。
【００２３】
そして、第１の筐体１１は、裏面（内面）側の周縁部が第２の筐体１２の周縁部と互いに合わされて接着等で結合され、この第１の筐体１１及び第２の筐体１２が箱状に密閉された構成となっている。また、第１の筐体１１の開口部の内面側には、レシーバやスピーカ等の電気機械音響変換器１０が取り付けられている。
【００２４】
この電気機械音響変換器１０は、振動板を有し、印加される電気信号に応じて振動板を振動させることにより音を放射する。電気機械音響変換器１０から放射された音は、音孔１３を介して、パネル１４と第１の筐体１１との間に形成された空間１９に伝達され、パネル１４は空間１９に伝達された音によって振動可能なように構成される。なお、側壁部材１５と第１の筐体１１との結合部には、樹脂等の剛体を介在させてもよく、この場合気密性が確保できる取り付けが望ましい。なお、第１の筐体１１と電気機械音響変換器１０との間には、弾性体１６を介在させてもよく、この場合も気密性が確保できる取り付けが望ましい。
【００２５】
上記構造を有する受話器１００では、電気機械音響変換器１０に電気信号が印加されると、面積の小さい点状の音孔からではなく、ある程度の面積を持つ面状のパネル１４からの音が使用者の耳へ届くことになるため、受聴範囲が拡張されていることになる。
【００２６】
ここで、パネル１４に耳を押し付けた状態では、パネル１４自体、及びパネル１４と第１の筐体１１との間に形成された空間１９は、パネル１４に当接する耳介の内側と外側とで分割される。このとき、パネル１４に関しては、耳の内側のみ有効な駆動部となり得るので、耳が接触していない状態から駆動部の面積が縮小される。また、パネル１４と第１の筐体１１との間に形成された空間１９において、耳の外側に対応する領域については、この領域の空間の空気の振動が耳に伝わらない無効空間となる。
【００２７】
パネル１４に対して耳の押し付けが強い場合は、パネル１４と耳との気密性が向上して音漏れは改善し、パネル１４が振動する駆動部の面積が縮小されることでパネル１４の駆動力は低下し、パネル１４と第１の筐体１１との間の空間１９における耳の外側に対応する無効空間への音漏れは改善されることになる。一方、パネル１４に対して耳の押し付けが弱い場合は、パネル１４と耳との気密性が低下して音漏れは劣化し、パネル１４が振動する駆動部の面積が縮小されないためパネル１４の駆動力は低下せず、パネル１４と第１の筐体１１との間の空間１９における耳の外側に対応する無効空間への音漏れは劣化することになる。このとき、パネル１４は、耳の押し付け度合いに合わせて挙動が適切に作用するので、耳の押し付け度合いに依存せずに受話器１００の音量（出力音圧）や音質等をほぼ一定にさせる機能を果たす。
【００２８】
表１は、本実施形態においてパネル１４に対して耳からの押し圧力を大小させた場合の各部の挙動を示したものである。
【００２９】
【表１】
2007281607.tif 000003
【００３０】
表１において、「耳とパネルとの間の音漏れ」「パネルの駆動力」「無効空間への音漏れ」のそれぞれについて、パネルに対する耳の押し圧力の大小による状態変化を示している。パネル１４に使用者の耳が接触した状態では、使用者の耳とパネル１４との間に存在する隙間から発生する音漏れによる音圧ロスが生じ、この音圧ロスを「耳とパネルとの間の音漏れ」で示している。また、このとき、耳が接触していない状態から駆動部の面積が縮小されること、及び耳が接触している部分の境界において安定したパネル１４のテンションを確保し難くなることによる音圧ロスが生じ、この音圧ロスを「パネルの駆動力」で示している。また、このとき、パネル１４と第１の筐体１１との間に形成された空間１９における、耳の外側に対応する無効空間は、電気機械音響変換器１０からの音が伝達されるが、実際に耳へは伝達されないために音圧ロスが生じ、この音圧ロスを「無効空間への音漏れ」で示している。
【００３１】
この表１をみると、結果的に、パネル１４に使用者の耳を接触させた際、パネル１４に対して耳からの押し圧力に大小を発生させた場合に、それぞれの状態で各部の音圧ロスの合計はほぼ同じとなる。
【００３２】
図４は本実施形態の受話器１００における出力音圧−周波数特性の測定結果の一例を示す特性図である。
【００３３】
この測定例では、電気機械音響変換器１０として口径６ｍｍ＊１５ｍｍのダイナミックレシーバを用い、パネル１４として材質がＰＥＴ（ポリエチレンテレフタレート）、材厚が０．２ｍｍ、面積が約７５０ｍｍ2 の大きさのものを用いている。また、第１の筐体１１への取り付けは厚み０．２ｍｍの両面テープを用い、受話器はHead and Torso Simulator（以下、ＨＡＴＳという）を用いて擬似的に音漏れを発生させた状態で、かつ受話器への押し圧力を２Ｎ、１０Ｎ、１８Ｎと可変させて、電気機械音響変換器１０に１８０ｍＶｒｍｓの電圧を印加して測定したものである。ここで、図４におけるＩは押し圧力２Ｎ、IIは押し圧力１０Ｎ、IIIは押し圧力１８Ｎで測定した結果を示す。
【００３４】
図５は従来例の受話器における出力音圧−周波数特性の測定結果の一例を示す特性図である。この従来例では、電気機械音響変換器１０として口径６ｍｍ＊１５ｍｍのダイナミックレシーバを用いている。また、受話器はHead and Torso Simulator（以下、ＨＡＴＳという）を用いて擬似的に音漏れを発生させた状態で、かつ受話器への押し圧力を２Ｎ、１０Ｎ、１８Ｎと可変させて、電気機械音響変換器１０に１８０ｍＶｒｍｓの電圧を印加して測定したものである。ここで、図５におけるIVは押し圧力２Ｎ、Ｖは押し圧力１０Ｎ、VIは押し圧力１８Ｎで測定した結果を示す。
【００３５】
図４と図５との差分をみると、従来例の受話器は、押し圧力に依存して耳と受話器との気密性が向上するため、出力音圧が高くなっている。これに対して、本実施形態の受話器１００は、押し圧力に依存せず、ほぼ一定の出力音圧を確保している。
【００３６】
次に、パネル１４の構成例の詳細を示す。パネル１４と第１の筐体１１との空間１９は、パネル１４の材厚以上を確保することが望ましい。また、パネル１４の大きさは、標準的な耳の大きさを考慮して、耳が平板部材に当接した状態での内径部分の面積とほぼ同等以上となるように、直径約φ２５ｍｍの円が納まる程度以上（一辺の長さが２５ｍｍ以上）の面積が必要である。ただし、パネル１４の面積は、余り大きくなり過ぎることは望ましくなく、約φ３５ｍｍの円が納まる程度以下（一辺の長さが３５ｍｍ以下）が適当である。
【００３７】
また、パネル１４の材厚は、パネル１４自身が持つ共振周波数を決める要因となる。電気機械音響変換器１０の最低共振周波数よりもパネル１４の共振周波数が高くなってしまうと、パネル１４の共振周波数が支配的となり、受話器１００の再生帯域が縮小されてしまう。このため、電気機械音響変換器１０の最低共振周波数よりも、パネル１４の共振周波数が低くなるようなにパネル１４の材厚を選択する必要がある。
【００３８】
ここで、パネル１４を外周固定した場合の共振周波数ｆｑは下記の数１にて定義される。なお、ｔはパネル１４の材厚、ａはパネルの有効半径、Ｅはヤング率、ρは密度、σはポアソン比である。例えば、パネル１４の材料がＰＥＴ（ポリエチレンテレフタレート：Polyethlene Terephthalate）で、大きさがφ２５ｍｍ（一辺の長さが２５ｍｍ）であった場合には、パネル１４の材厚としては数１より０．１ｍｍ以下の材厚が必要となる。
【００３９】
【数１】
2007281607.tif 000004
【００４０】
なお、パネル１４の材料としては、例えば、ＰＥＩ（ポリエーテルイミド：Polyetherimide）、ＰＥＮ（ポリエチレンナフタレート：Polyethylenenaphtarete）、エラストマ（Elastomer）等が用いられるが、エラストマのように柔らかい材料の方が望ましい。
【００４１】
このように、本発明の第１の実施形態によれば、使用者の耳と第１の筐体１１との押し付け度合いによって音量（出力音圧）や音質等が大きく変動することなく、安定した音響性能が確保できる。
【００４２】
なお、本実施形態では、電気機械音響変換器１０として、ダイナミックレシーバを用いた場合の構成例について説明したが、セラミックレシーバ等であってもよい。
【００４３】
（第２の実施形態）
図６は本発明の第２の実施形態に係る受話器の構造を示す図である。図６において、（Ａ）は受話器２００の外観を示す平面図、（Ｂ）は（Ａ）の受話器２００のＢ−Ｂ線に沿った横断面図である。
【００４４】
第２の実施形態の受話器２００は、前記第１の実施形態と同様、携帯端末装置に搭載されるものである。なお、前記第１の実施形態と同一の構成要素には同一の符号を付して説明を省略する。
【００４５】
受話器２００は、第１の実施形態と同様、長方形の平板状のパネル１４を有して構成される。また、受話器２００は、パネル１４の周囲に配設される表面側の第１の筐体２１と、この第１の筐体２１の反対側を覆う裏面側の第２の筐体２２とを備えている。第１の筐体２１は、パネル１４を収納するための内側に窪んだ凹部２８を有し、中央部（図中上面中央）には、音孔２３が形成されて開口している。この第１の筐体２１の凹部２８にパネル１４の側壁部材１５が当接して取り付けられることにより、第１の筐体２１の音孔２３周辺部とパネル１４との間には空間２９が形成されている。
【００４６】
第１の筐体２１の開口部近傍の内面側には、電気機械音響変換器１０から放射された音を伝達する一対の音通路２７が接着等により取り付けられている。すなわち、第１の筐体２１と電気機械音響変換器１０との間には、電気機械音響変換器１０から放射された音を伝達する一対の音通路２７が設けられ、この音通路２７の基端部に電気機械音響変換器１０が接着等により取り付けられている。
【００４７】
上記構造を有する受話器２００では、電気機械音響変換器１０に音声出力信号の電気信号が印加されると、電気機械音響変換器１０から出力される音が音通路２７内を伝達され、音孔２３を介して放射される。このため、第２の実施形態においても、前記第１の実施形態と同様に、使用者の耳と第１の筐体２１との押し付け度合いによって音量や音質等が大きく変動することなく、安定した音響性能が確保できる。
【００４８】
（第３の実施形態）
図７は本発明の第３の実施形態に係る受話器の構造を示す図である。図７において、（Ａ）は受話器３００の外観を示す平面図、（Ｂ）は（Ａ）の受話器３００のＣ−Ｃ線に沿った横断面図である。
【００４９】
第３の実施形態の受話器３００は、前記第１の実施形態と同様、携帯端末装置に搭載されるものである。なお、前記第１の実施形態と同一の構成要素には同一の符号を付して説明を省略する。
【００５０】
受話器３００は、第１の実施形態と同様、長方形の平板状のパネル１４を有して構成される。また、受話器３００は、パネル１４の周囲に配設される表面側の第１の筐体３１と、この第１の筐体３１の反対側を覆う裏面側の第２の筐体３２とを備えている。第１の筐体３１は、パネル１４を収納するための内側に窪んだ凹部３８を有し、中央部（図中上面中央）には、一対の音孔３３、３４が形成されてそれぞれ開口している。この第１の筐体３１の凹部３８にパネル１４の側壁部材１５が当接して取り付けられることにより、第１の筐体３１の音孔３３、３４周辺部とパネル１４との間には空間３９が形成されている。
【００５１】
第１の筐体３１の開口部の内面側には、音孔３３、３４に対応して一対の電気機械音響変換器３５、３６がそれぞれ取り付けられている。すなわち、第１の筐体３１及び第２の筐体３２には、前記第１の実施形態と同様の、音孔及び電気機械音響変換器を有してなる音出力部が複数組設けられている。
【００５２】
なお、前記第１の実施形態の弾性体、前記第２の実施形態の音通路などを、同様に複数組設けた構造にしてもよい。この場合、複数の音通路は、それぞれ複数の電気機械音響変換器から放射される音をそれぞれの音孔に伝達することとし、また、複数の音通路は、それぞれ異なる位置に設けられてもよい。
【００５３】
上記構造を有する受話器３００では、電気機械音響変換器３０及び３１に音声出力信号の電気信号が印加されると、電気機械音響変換器３０及び３１から出力される音が音孔３３、３４を介して放射される。このため、第３の実施形態においても、前記第１の実施形態と同様に、使用者の耳と第１の筐体３１との押し付け度合いによって音量や音質等が大きく変動することなく、安定した音響性能が確保できる。
【００５４】
なお、上記第１〜第３の実施形態では、携帯端末装置として、通信機能を有する携帯電話機等に受話器を搭載した構成例を示したが、これに限定されず、例えば通信機能を持たないＰＤＡ（携帯情報端末）、ポケベル（登録商標）、腕時計などの電子機器に適用してもよい。あるいは、携帯型に限らず、設置型の電子機器にも適用可能である。
【００５５】
（第４の実施形態）
図８は本発明の第４の実施形態に係る受話器が搭載された電子機器である携帯端末装置の外観構成を示す斜視図である。
【００５６】
第４の実施形態の携帯端末装置５００は、通信機能を持たないＰＤＡ等の例であり、ヒンジ５３によって開閉自在な第１の筐体５０及び第２の筐体５１を有して構成される。第１の筐体５０には、液晶表示パネル等による表示部５４と、前記第１〜第３の実施形態による受話器１００が配置されている。表示部５４には、各種情報が表示されるとともに、操作部として機能する操作メニューアイコン等が表示される。
【００５７】
図９は第４の実施形態の携帯端末装置５００における音声出力部の電気的構成を示す図である。この音声出力部は、画像信号や音声信号を処理する制御部５６、制御部５６から出力される音声信号の増幅等を行う信号出力部５７、及び増幅された音声出力信号を電気音響変換して空気振動の音波による音として放射出力する受話器１００を有して構成される。
【００５８】
上記構成を有する携帯端末装置５００では、使用者の操作に連動して生成される制御部５６からの信号に基づき、信号処理部５７で音声信号の電気信号を増幅し、電気信号の音声出力信号として受話器１００に出力する。受話器１００では、信号処理部５７から入力された音声出力信号の電気音響変換が行われ、表面のパネルから音楽や動作音等の音が放射されて再生出力される。
【００５９】
上述した第４の実施形態によれば、携帯端末装置等の電子機器において、前記第１の実施形態と同様に、使用者の耳と第１の筐体との押し付け度合いによって音量や音質等が大きく変動することなく、安定した音響性能が確保できる。
【００６０】
以上説明したように、本実施形態の受話器では、電気機械音響変換器から放射された音が、音孔を介して第１の筐体とパネルとの間の空間に伝達され、パネルが振動する構成となっている。よって、出力される音は、点状の音孔からではなく、面状のパネルから放射されて耳へ届くことになるため、使用者が受話器のパネルに耳を押し当てて聴取する場合、受聴範囲が拡張されていることになる。
【００６１】
また、パネルに対して耳の押し付けが強くなれば、パネルと耳との気密性が向上して音漏れは改善し、パネルが振動する面積が縮小されることでパネルの駆動力は低下し、パネルと第１の筐体との間に形成された空間は耳の内側と外側とで分割されて耳の外側にある空間への音漏れは改善されることになる。逆に、パネルに対して耳の押し付けが弱くなれば、パネルと耳との気密性が弱まって音漏れは劣化し、パネルが振動する面積が縮小されないためパネルの駆動力は低下せず、パネルと第１の筐体との間に形成された空間において耳の外側にある空間への音漏れは劣化することになる。この結果、パネルへの耳の押し付け度合いに合わせて、パネルの挙動が適切に作用するため、耳の押し付け度合いに依存して音量や音質等が大きく変動することなく、安定した音響性能を実現することが可能となる。
【００６２】
さらに、パネルによって音孔が覆われて外観からは見えなくなるため、デザインや形状に対してより自由度を向上させるとともに、防塵、防磁性能を向上させることもできる。また、パネルと第１の筐体との間に形成された空間内に音孔を配置すれば、電気機械音響変換器から放射された音は空間に伝わるため、電気機械音響変換器の配置に対してより自由度を向上させることができる。
【００６３】
以上が本発明の実施形態の説明であるが、本発明は、これら実施形態の構成に限られるものではなく、特許請求の範囲で示した機能、または実施形態の構成が持つ機能が達成できる構成であれば、種々の変形、置換が可能であり、どのようなものであっても適用可能である。
【産業上の利用可能性】
【００６４】
本発明は、簡単な構造で良好な音量や音質等の音響性能を確保するとともに、デザインや形状に対しての制約を緩和させることが可能となる効果を有し、携帯端末装置等の受話器を備える電子機器等に有用である。
【図面の簡単な説明】
【００６５】
【図１】本発明の第１の実施形態に係る受話器が搭載された携帯端末装置の外観構成を示す斜視図
【図２】第１の実施形態の携帯端末装置における音声出力部の電気的構成を示す図
【図３】本発明の第１の実施形態に係る受話器の構造を示す図
【図４】本実施形態の受話器における出力音圧−周波数特性の測定結果の一例を示す特性図
【図５】従来例の受話器における出力音圧−周波数特性の測定結果の一例を示す特性図
【図６】本発明の第２の実施形態に係る受話器の構造を示す図
【図７】本発明の第３の実施形態に係る受話器の構造を示す図
【図８】本発明の第４の実施形態に係る受話器が搭載された携帯端末装置の外観構成を示す斜視図
【図９】第４の実施形態の携帯端末装置における音声出力部の電気的構成を示す図
【図１０】従来例の受話器の構造を示す断面図
【符号の説明】
【００６６】
１、５００  携帯端末装置
１０、３５、３６  電気機械音響変換器
１１、２１、３１  第１の筐体
１２、２２、３２  第２の筐体
１３、２３、３３、３４  音孔
１４  パネル
１５  側壁部材
１６  弾性体
１８、２８、３８  凹部
２７  音通路
１００、２００、３００  受話器
【図１】
2007281607.tif 000005
【図２】
2007281607.tif 000006
【図３】
2007281607.tif 000007
【図４】
2007281607.tif 000008
【図５】
2007281607.tif 000009
【図６】
2007281607.tif 000010
【図７】
2007281607.tif 000011
【図８】
2007281607.tif 000012
【図９】
2007281607.tif 000013
【図１０】
2007281607.tif 000014